(57)【要約】【課題】景品交換所の店員に依らず素早く換金が可能であり、セキュリティ性の高い景品換金装置の提供。【解決手段】景品換金装置１の景品挿入部１０の内部には一度に最大で３０個の景品２を収容可能な景品収容空間が形成されている。景品収容空間を画成する景品挿入部１０の部分にはミューチップリーダが設けられており、景品収容空間内に収容された３０個以内の個数の景品２の各景品情報をミューチップリーダは読み出し可能である。制御部は、セキュリティコードの登録により登録されたセキュリティコードとセキュリティ情報に含まれているセキュリティコードとが一致し、且つ、本日一日間内に既に読取った景品情報のセキュリティコードとセキュリティ情報中のセキュリティコードとが一致していない場合に、金額情報に含まれる金額の値に相当する額の紙幣を紙幣払出し口３０ａ、３０ｂへ送り出す制御をする。【選択図】図２
2010082111.tif 000002
【特許請求の範囲】
【請求項１】
景品問屋により所有され管理され、パチンコホールで提供された景品を換金するための景品換金装置であって、
該景品には該景品に関する景品情報を記憶したミューチップが付され、該ミューチップに記憶された該景品情報を読出し可能な景品情報読取り手段と、
現金を収容可能であり該現金を払出し可能な現金払出し手段と、
該景品情報読取り手段と該現金払出し手段とに接続され、該景品情報読取り手段により読み出された該景品情報に基づいて該景品に相当する額の現金の払出しを行うように該現金払出し部を制御する制御手段とを備えることを特徴とする景品換金装置。
【請求項２】
該景品情報読取り手段は、複数の該景品を同時に収容した状態で該複数の景品の該景品情報をそれぞれ読出し可能な複数景品収容部を備えることを特徴とする請求項１に記載の景品換金装置。
【発明の詳細な説明】
【技術分野】
【０００１】
本発明は景品換金装置に関する。
【背景技術】
【０００２】
従来よりパチンコ店において入手した景品を景品交換所において当該景品の相当する額に換金することが行われている。例えば額の大きな大景品が１００００円相当額、額が中ぐらいの中景品が５０００円相当額、額の小さな小景品が１０００円相当額である場合に、大景品を景品交換所において１００００円に換金する。同様に、中景品を景品交換所において５０００円に換金し、小景品を景品交換所において１０００円に換金する。
【０００３】
パチンコ店によっては、景品の相当額に関する情報等を有するバーコードが付された景品が用いられている。換金希望者が景品交換所に持込んだ景品に付されたバーコードを景品交換所の店員が機械によって読取り、当該景品相当額に相当する現金を当該機械が払出し、機械から払出された現金を当該換金希望者に手渡すといったことが行われている。このような機械は、例えば特開平８−３３６６５８号公報に記載されている。
【特許文献１】特開平８−３３６６５８号公報
【発明の開示】
【発明が解決しようとする課題】
【０００４】
しかし、上述した従来の景品交換所では、景品交換所の店員が換金希望者に対して現金を手渡ししていたため、店員のミスにより景品の相当額とは異なる額の現金を手渡してしまうといった問題が生じたり、店員は景品の相当額に対して正しい額の現金を手渡しているにもかかわらず、現金の額が正しくない旨のクレームをつけられたりするといった問題が生じていた。
【０００５】
また、バーコードリーダーで読取る速度には限度があり、多数の換金希望者が景品交換所に同時に来た場合には、バーコードリーダーでの読取りに長時間かかってしまい、換金希望者の中には長時間待たされてしまう者が生じる。また、景品交換所が休憩時間に入ってしまったり、景品交換所の店員が休憩しているときには、景品交換所において換金不能な状態になってしまうといった問題も生ずる。
【０００６】
また、バーコードリーダーでバーコードを読取る場合には、景品の相当額よりも高い額に相当するバーコードがコピーされて当該景品に付されたものが景品交換所に持ち込まれたときには、景品の相当額よりも高い額を払出してしまう恐れもあり、セキュリティ上の問題がある。また、近年では県の条例等で換金の無人化が認められている地域もある。
【０００７】
そこで本発明は、景品交換所の店員に依らず素早く換金が可能であり、セキュリティ性の高い景品換金装置を提供することを目的とする。
【課題を解決するための手段】
【０００８】
上記課題を解決するために、本発明は、景品問屋により所有され管理され、パチンコホールで提供された景品を換金するための景品換金装置であって、該景品には該景品に関する景品情報を記憶したミューチップが付され、該ミューチップに記憶された該景品情報を読出し可能な景品情報読取り手段と、現金を収容可能であり該現金を払出し可能な現金払出し手段と、該景品情報読取り手段と該現金払出し手段とに接続され、該景品情報読取り手段により読み出された該景品情報に基づいて該景品に相当する額の現金の払出しを行うように該現金払出し部を制御する制御手段とを備える景品換金装置を提供している。
【０００９】
ミューチップに記憶された景品情報を読出し可能な景品情報読取り手段を備えるため、従来用いられていたバーコードと比較して遥かに高速で景品情報を読出すことができる。
【００１０】
また、このような景品情報読取り手段と、現金を収容可能であり現金を払出し可能な現金払出し手段と、景品情報読取り手段と現金払出し手段とに接続され、景品情報読取り手段により読み出された景品情報に基づいて景品に相当する額の現金の払出しを行うように現金払出し部を制御する制御手段とを備えるため、景品交換所の店員に依らずに、景品情報読取り手段に景品情報を読出させることにより自動的に現金払出し部から景品に相当する額の現金を払出すことができる。
【００１１】
このため、人手を介さずに換金を行うことができるため、店員のミスにより景品の相当額とは異なる額の現金を手渡してしまうことを防止することができる。また、店員は景品の相当額に対して正しい額の現金を手渡しているにもかかわらず、現金の額が正しくない旨のクレームをつけられたりするといった問題を解消することができる。
【００１２】
また、パチンコホールの営業時間中に常時景品換金装置を稼動させておくことにより、パチンコホールの営業時間中いつでも換金を可能とすることができる。
【００１３】
また、ミューチップはコピーしたり偽造したりすることが不可能であるため、セキュリティ性を高めた景品換金装置とすることができる。
【００１４】
ここで、該景品情報読取り手段は、複数の該景品を同時に収容した状態で該複数の景品の該景品情報をそれぞれ読出し可能な複数景品収容部を備えることが好ましい。景品情報読取り手段は複数景品収容部を備えるため、複数の景品を同時に収容した状態で複数の景品の景品情報を極めて高速でそれぞれ読出すことができ、換金処理の更なる高速化を図ることができる。
【発明の効果】
【００１５】
以上より本発明によれば、景品交換所の店員に依らず素早く換金が可能であり、セキュリティ性の高い景品換金装置を提供することができる。
【発明を実施するための最良の形態】
【００１６】
本発明の実施の形態による景品換金装置について説明する。先ず、景品換金装置１（図２）によって換金される景品２について図１に基づき説明する。景品２はいわゆる特殊景品であり、例えば金箔２Ａ等が薄い直方体のプラスチック製のケース２Ｂに収容されている。ケース２Ｂの寸法は名刺大、即ち縦９０ｍｍ、横５５ｍｍ、厚さ３ｍｍ程度であり、厚さを規定するケース２Ｂの側面であってケース２Ｂの寸法の縦を規定する側面には、ミューチップ２Ｃ（登録商標）が付されている。ミューチップ２Ｃには景品情報、より具体的には、当該特殊景品に相当する額の金額情報、即ち当該特殊景品を従来のように景品交換所において換金する際の換金可能な額の値の情報や、景品換金装置１が取扱うパチンコホールの全ての景品２において、互いに重複しないように付された互いに異なるセキュリティコード等のセキュリティ情報が記録されている。特殊景品に相当する額としては、１万円、千円、百円の３種類があり、この順で大景品、中景品、小景品の３つに分類される。
【００１７】
次に、景品換金装置１について図２に基づき説明する。景品換金装置１は、図２に示されるように、景品挿入部１０と表示部２０と紙幣払出し口３０ａ、３０ｂ及び貨幣払出し口３０ｃが形成された紙幣貨幣払出し部３０と景品蓄積部４０と図示せぬ制御部とを有している。
【００１８】
景品挿入部１０にはドアノブ１１Ａが設けられた開閉扉１１が設けられており、内部に一度に最大で３０個の景品２を収容可能な図示せぬ景品収容空間が形成されている。図示せぬ景品収容空間を画成する景品挿入部１０の部分には図示せぬミューチップリーダが設けられている。３０個以内の個数の景品２が景品収容空間内に収容された状態で開閉扉１１が閉じられると、自動的に図示せぬミューチップリーダによって全ての景品２のミューチップ２Ｃに記録されている各景品情報が読み出されるように構成されている。景品挿入部１０は景品情報読取り手段に相当する。景品収容空間が形成された景品挿入部１０の部分は複数景品収容部に相当する。
【００１９】
また、開閉扉１１には開閉扉１１が開かれた状態であることを検知可能な図示せぬ開閉センサーと、開閉扉１１が閉じた状態のときに換金希望者が開閉扉１１を開くことができないロック状態とするための図示せぬロック機構とが設けられている。
【００２０】
表示部２０はデジタル表示パネル２１を有している。表示部２０は、後述の制御部から大景品、中景品、小景品のそれぞれの個数のデータと、大景品の個数分の合計金額データと、中景品の個数分の合計金額データと、小景品の個数分の合計金額データとを受取り、デジタル表示パネル２１に、例えば「大５個  ５００００円」、「中３個  ３０００円」、「小２個  ２００円」といった具合にこれらを縦に３段で表示可能である。
【００２１】
紙幣貨幣払出し部３０は、その内部に、１万円札を複数収容可能な図示せぬ１万円収容部と、千円札を複数収容可能な図示せぬ千円収容部と、百円硬貨を複数収容可能な図示せぬ百円収容部とを備えている。一万円収容部は、図２に示される左側の紙幣払出し口３０ａに連通している。図示せぬ千円収容部は、図２に示される右側の紙幣払出し口３０ｂに連通している。百円収容部は貨幣払出し口３０ｃに連通している。また、紙幣貨幣払出し部３０は、図示せぬ１万円収容部、千円収容部にそれぞれ設けられた図示せぬ紙幣送り出し装置と、図示せぬ百円収容部に設けられた図示せぬ貨幣送り出し装置とを備えている。図示せぬ紙幣送り出し装置は後述の図示せぬ制御部からの信号により図示せぬ一万円収容部、千円収容部から紙幣払出し口３０ａ、３０ｂへ一万円札、千円札をそれぞれ送出し可能である。また、図示せぬ貨幣送り出し装置は後述の図示せぬ制御部からの信号により図示せぬ百円収容部から百円硬貨を貨幣払出し口３０ｃへ送出し可能である。紙幣貨幣払出し部３０は現金払出し手段に相当する。
【００２２】
景品蓄積部４０は、図示せぬ景品収容空間と連通可能であり大景品、中景品、小景品を区別せずに一緒に蓄積可能な図示せぬ蓄積ケースがその内部に計５個設けられている。１つの蓄積ケースには大景品、中景品、小景品合わせて２００個ずつ蓄積可能である。また、景品２が各蓄積ケースに２００個ずつ５つの蓄積ケースで計１０００個蓄積されたことを検知する図示せぬ検知装置を備えており、景品２が１０００個蓄積されたことを検知すると、図示せぬ制御部は図示せぬブザーを鳴らすように構成されている。
【００２３】
また、景品蓄積部４０の一部には、図示せぬ景品取出し用扉が設けられている。景品換金装置１の管理者である景品問屋の者が図示せぬ景品取出し用扉を開くことにより、図示せぬ蓄積ケースに蓄積された景品２を取出すことが可能である。
【００２４】
図示せぬ制御部は、ＣＰＵを備える図示せぬ制御装置を有しており、景品挿入部１０と表示部２０と紙幣貨幣払出し部３０と景品蓄積部４０とに電気的に接続されており、景品挿入部１０と表示部２０と紙幣貨幣払出し部３０と景品蓄積部４０とを制御可能である。また、図示せぬ制御部は、図示せぬ景品収容空間内に収容された３０個以内の個数の景品２のそれぞれについて図示せぬミューチップリーダが読み出した景品情報の中の金額情報を集計可能であり、集計したデータを表示部２０へ出力可能である。
【００２５】
また、図示せぬ制御部は、図示せぬミューチップリーダが読み出した景品情報の中のセキュリティコードを認識し、所定時間内（例えば午前３時から翌日の午前３時までの間）に同一のセキュリティコードを有する景品情報が読み取られ認識された場合には、図示せぬエラーランプを点灯し紙幣貨幣払出し部３０からの紙幣の払出しを行わないように紙幣貨幣払出し部３０を制御する。また、図示せぬ制御部は、図示せぬスピーカ、ブザー、エラーランプに接続されており、これらを制御可能である。
【００２６】
また、図示せぬ制御部にはハードディスク等からなり読出し書込み可能な図示せぬ記憶媒体が設けられており、図示せぬミューチップリーダによって読取られた景品２の景品情報に基づき、一日の売上合計や、一日における時間別売上や、現在の売上金の合計や、当該景品換金装置１が取扱うパチンコホールの景品２の景品情報に含まれている各景品固有のセキュリティコードや、所定時間内（例えば午前３時から翌日の午前３時まで）に読取った景品２の景品情報に含まれている各景品固有のセキュリティコードや、所定時間内（例えば午前３時から翌日の午前３時まで）に換金を行った換金希望者単位での換金の記録（大景品、中景品、小景品を一回の換金で何個ずつ景品挿入部１０に挿入したか等の記録）や、月計や、年計や、後述のラウンド切換えが行われたか否か及びその日時の記録を記憶可能である。
【００２７】
また、図示せぬ制御部は、図示せぬインターフェースを介して図示せぬパソコン、プリンタ、及び図示せぬ他の景品換金装置の制御部と接続されており、他の景品換金装置の記憶媒体に記憶されている情報を本景品換金装置１と当該他の景品換金装置とで共有化するように構成されている。同様に本景品換金装置１の図示せぬ記憶媒体に記憶されている情報も当該他の景品換金装置と本景品２換金装置１とで共有化するように構成されている。即ち、本景品換金装置１たる一の景品換金装置で一の景品２の景品情報が読み取られた後、所定時間内（例えば午前３時から翌日の午前３時まで）に他の景品換金装置で当該一の景品２の景品情報を再度読み取った場合には、図示せぬ制御部が図示せぬエラーランプが点灯するように構成されている。従って、２台の景品換金装置を１セットとして記憶媒体内の情報を共有化した状態で、景品２の換金を行うことができる。
【００２８】
また、図示せぬ制御部は、制御部に接続されている図示せぬパソコンからの操作によりオフラインとオンラインとの切替えが可能である。ここで、オフラインとは、紙幣、貨幣の払出しを行わずに景品換金装置１を動作させる状態を意味し、オフライン時には、景品２の景品情報の読取りと、景品情報中のセキュリティコードを図示せぬ制御部の記憶媒体中に記憶する作業と、当該読取りが済んだ景品２の景品蓄積部４０における蓄積とを行う。オンラインとは景品換金作業を行う通常の動作の状態を意味する。
【００２９】
また図示せぬ制御部は、制御部に接続されている図示せぬパソコンからの操作により一日の売上合計、一日の時間別売上、現在の売上金の合計、一日間に換金を行った換金希望者単位での換金の記録、月計、年計を図示せぬプリンタにおいて印字可能である。
【００３０】
また、図示せぬ制御部は、制御部に接続されている図示せぬパソコンからの操作により、ラウンド切り替えをすることができる。即ち、本日一日間内（例えば一日間を午前３時から翌日の午前３時までと設定した場合には、この２４時間内）に既に読取った景品情報のセキュリティコードと今景品情報から読取られたセキュリティ情報中のセキュリティコードとが一致している場合には、換金を行うことができないのであるが、このようなことを回避するために、記憶媒体中の当該本日一日間に読取った景品２の景品情報に含まれている各景品固有のセキュリティコードをクリアすることができる。ここで「本日一日間」とは予め一日のスタートを設定しておき（例えば午前３時等）、それから２４時間の間という意味であり、「本日一日」のスタート時刻は任意に設定可能である。図示せぬ制御部は制御手段に相当する。
【００３１】
次に、景品換金装置１の動作について説明する。以下の説明では、午前３時から翌日の午前３時までを「一日間」として設定したものとする。先ず景品２の換金を行う前に、セキュリティコードの登録を行う。セキュリティコードの登録は、換金を行う景品換金装置１が対象とするパチンコホールで扱う景品２の景品情報中のセキュリティコードを全て読み取ることにより行われる。
【００３２】
即ち、図示せぬパソコンを操作することにより景品換金装置１をオフライン状態とし、景品挿入部１０の開閉扉１１を開き、景品換金装置１で取扱うパチンコホールの景品２を３０個ずつ図示せぬ景品挿入空間へ挿入し開閉扉１１を閉じ、図示せぬ景品挿入空間内の景品２の景品情報を図示せぬミューチップリーダで読取る。次に、読取りが終わった景品２を景品蓄積部４０の蓄積ケースに蓄積する。そして、景品換金装置１の管理者である景品問屋の者が図示せぬ景品取出し用扉を開き、図示せぬ蓄積ケースに蓄積された景品２を取出し、パチンコホールに納品する。そして、図示せぬパソコンを操作することにより景品換金装置１をオンライン状態として換金可能な状態とする。一度登録が済めば、何らかの原因により記憶媒体中に記憶されたセキュリティコードが消去されてしまった場合を除き、再び登録をする必要はない。以上がセキュリティコードの登録である。
【００３３】
次に、景品挿入部１０の開閉扉１１を開くことにより開閉扉１１が開かれた状態であることを図示せぬ開閉センサーが検知すると、図示せぬ制御部は図示せぬスピーカを制御し「いらっしゃいませ」と音声ガイダンスを行う。次に、換金希望者はパチンコホールからの景品２を３０個以内の個数で開閉扉１１内の図示せぬ景品挿入空間へ挿入し、開閉扉１１を閉じる。図示せぬ景品挿入空間への複数の景品２の挿入は、景品２の縦横を揃えた状態で行われてもよいし、揃えられていないバラバラの状態で行われてもよい。開閉扉１１が閉じた状態を図示せぬ開閉センサーが検知すると、図示せぬロック機構が開閉扉１１をロックする。
【００３４】
次に、図示せぬミューチップリーダが各景品２のミューチップ２Ｃ中の景品情報を読取る。そして景品情報中の金額情報、セキュリティ情報を図示せぬ制御部に出力する。次に図示せぬ制御部では、前述のセキュリティコードの登録により登録されたセキュリティコードとセキュリティ情報とを照合し、また、本日一日間内に既に読取った景品情報のセキュリティコードとセキュリティ情報とを照合する。前述のセキュリティコードの登録により登録されたいずれかのセキュリティコードとセキュリティ情報に含まれているセキュリティコードとが一致していないか、または、本日一日間内に既に読取った景品情報のセキュリティコードとセキュリティ情報中のセキュリティコードとが一致しているか、のいずれかに該当する場合には、図示せぬ制御部は図示せぬブザーを鳴らす制御を行うと共に、エラーランプを点灯させ、図示せぬ紙幣送り出し装置又は貨幣送り出し装置が駆動しないように制御する。
【００３５】
上述のいずれにも該当しない場合には、図示せぬ制御部は金額情報に含まれる金額の値が「１万円」の場合には、図示せぬ一万円収容部に設けられた図示せぬ紙幣送り出し装置を駆動することにより、図示せぬ一万円収容部から一万円札を図２に示される左側の紙幣払出し口３０ａへと送り出す。そして換金希望者は、図２に示される左側の紙幣払出し口３０ａへと送り出された一万円札を受取る。図示せぬ制御部は、金額情報に含まれる金額の値が「千円」、「百円」の場合も同様にして、それぞれ図２に示される右側の紙幣払出し口３０ａ、貨幣払出し口３０ｂへと千円札、百円硬貨が送り出されように制御する。
【００３６】
午前３時を過ぎると図示せぬ制御部は、一日間に読取った景品２の景品情報に含まれている各景品固有のセキュリティコードを図示せぬ記憶媒体からクリアし、当該一日間に読取った景品２のセキュリティコードと同一のセキュリティコードの景品２に対して換金可能とする。
【００３７】
景品２の個数が少なくなり、万が一パチンコホールにおいて景品２の残数が０になってしまう恐れがある場合には、図示せぬ制御部に接続されている図示せぬパソコンからの操作によりラウンド切り替えを行うと共に、景品蓄積部４０の図示せぬ景品取出し用扉を開き、景品蓄積部４０の図示せぬ蓄積ケースに蓄積された景品２を取出す。そして、取出した景品２をパチンコホールにおいて景品２として再び利用する。図示せぬ制御部の記憶媒体には、ラウンド切り替えが行われた旨及びその日時が記録される。
【００３８】
ミューチップ２Ｃに記憶された景品情報を読出し可能な景品情報読取り手段を備えるため、従来用いられていたバーコードと比較して遥かに高速で景品情報を読出すことができる。
【００３９】
また、このような景品情報読取り手段と、現金払出し手段と、制御手段とを備えるため、景品交換所の店員に依らずに、景品情報読取り手段に景品情報を読出させることにより自動的に現金払出し部から景品２に相当する額の現金を払出すことができる。
【００４０】
このため、人手を介さずに換金を行うことができるため、店員のミスにより景品２の相当額とは異なる額の現金を手渡してしまうことを防止することができる。また、店員は景品２の相当額に対して正しい額の現金を手渡しているにもかかわらず、現金の額が正しくない旨のクレームをつけられたりするといった問題を解消することができる。また、パチンコホールの営業時間中に常時景品換金装置１を稼動させておくことにより、パチンコホールの営業時間中いつでも換金を可能とすることができる。
【００４１】
また、ミューチップ２Ｃはコピーしたり偽造したりすることが不可能であるため、セキュリティ性を高めた景品換金装置１とすることができる。また、景品情報読取り手段は複数景品収容部を備えるため、複数の景品２を同時に収容した状態で複数の景品２の景品情報を極めて高速でそれぞれ読出すことができ、換金処理の更なる高速化を図ることができる。
【００４２】
本発明は、上記した実施の形態に限定されず、特許請求の範囲に記載された範囲で種々の変形や改良が可能である。例えば、本実施の形態では、大景品、中景品、小景品の３種類を扱ったが３種類に限定されない。例えば大景品を一万円相当の景品とし、小景品を千円相当の景品として、この２種類を取扱うようにしてもよい。
【００４３】
また、景品の換金に際して手数料を要求する場合には、特殊景品に相当する額から手数料分を差引いた額を払出し可能に構成してもよい。より具体的には、１０円等の小額の貨幣を払出し可能な構成とし、当該特殊景品に相当する額から手数料分を差引いた額を小額の貨幣単位で払出し可能とすればよい。
【００４４】
また、本実施の形態では、午前３時から翌日の午前３時までを一日間としたが、これらの時刻に限定されない。また、２つの紙幣払出し口３０ａ、３０ｂと１つの貨幣取出し口とが形成されていたが、これに限定されない。例えば１つの取出し口に額の異なる紙幣及び貨幣が払出されるような構成としてもよい。
【図面の簡単な説明】
【００４５】
【図１】本発明の実施の形態に係る景品換金装置で取扱う景品を示す斜視図。
【図２】本発明の実施の形態に係る景品換金装置を示す斜視図。
【符号の説明】
【００４６】
１            景品換金装置
２            景品
２Ｃ          ミューチップ
１０          景品挿入部
３０          紙幣貨幣払出し部
【図１】
2010082111.tif 000003
【図２】
2010082111.tif 000004